(57)【要約】【課題】電路が遮断されるまでの時間を調整する際に、通電試験等によって発熱した回路遮断器が常温に戻るまで待つ必要をなくし、作業効率を向上させることが可能な過電流調整機構を少ない部品数で提供する。【解決手段】回路遮断器のケース内部に設けられる過電流調整機構であって、この過電流調整機構はケース外面に設けられる調整窓と、調整窓から視認可能に配置される調整ネジと、調整ネジが螺合するネジ孔が貫通して設けられた取付ナットと、取付ナットを貫通した調整ネジによって位置を調整されるバイメタルと、バイメタルによって押圧駆動する掛合片と、掛合片のバイメタルとの接点に着脱可能に設けられる調整部材とからなる。【選択図】図２
2009301756.tif 000002
【特許請求の範囲】
【請求項１】
回路遮断器のケース内部に設けられる過電流調整機構であって、該過電流調整機構は前記ケース外面に設けられる調整窓と、該調整窓から視認可能に配置される調整ネジと、該調整ネジが螺合するネジ孔が貫通して設けられた取付ナットと、該取付ナットを貫通した前記調整ネジによって位置を調整されるバイメタルと、該バイメタルによって押圧駆動する掛合片と、該掛合片の前記バイメタルとの接点に着脱可能に設けられる調整部材とからなることを特徴とする過電流調整機構。
【発明の詳細な説明】
【技術分野】
【０００１】
本発明は、回路遮断器における過電流調整機構に関するものである。
【背景技術】
【０００２】
従来、回路遮断器には特許文献１に記載されているような、主回路に過電流、短絡、漏電等の異常が発生した場合はケース２１内部に設けられるバイメタル２５と掛合片２６とからなる引き外し機構が駆動して開閉機構部による可動接触子への押圧を解除し、バネにより固定接触子から可動接触子を開離させて主回路が遮断するようになっており、バイメタル２５と掛合片２６の相対位置を調整するために調整螺子２３が設けられた回路遮断器があった。
【特許文献１】特開２００４−５５１７３
【発明の開示】
【発明が解決しようとする課題】
【０００３】
しかしながら、特許文献１に記載の発明では、過電流が流れた際に電路が遮断されるまでの時間の調整を行うには、実際に電流を流して所要時間を計測し、調整を行う必要がある場合が多いという欠点があった。又、一度電流を流した回路遮断器は発熱するため、再び常温に戻るまで待つ必要があるため、作業効率を低下させる恐れがあるという欠点があった。
【０００４】
又、既存の回路遮断器における引き外し機構では、機体ごとの寸法や摩擦係数等の影響によって引き外す力にばらつきがあるため、寸法による位置決めだけでは引き外される時間の調整は困難であるという欠点がある。又、寸法による位置決めだけでは引き外される時間の調整は困難であるため、通電試験を行って引き外し機構を動作させることで引き外される時間の調整を行う必要があるという欠点がある。
【０００５】
このため、本発明によって解決しようとする課題は、電路が遮断されるまでの時間を調整する際に、通電試験等によって実際に動作させる必要をなくすことで作業効率を向上させることが可能な過電流調整機構を少ない部品数で提供することにある。
【課題を解決するための手段】
【０００６】
上記した課題を解決するためになされた本発明の過電流調整機構は、回路遮断器のケース内部に設けられる過電流調整機構であって、過電流引外し機構はケース外面に設けられる調整窓と、調整窓から視認可能に配置される調整ネジと、調整ネジが螺合するネジ孔が貫通して設けられた取付ナットと、取付ナットを貫通した調整ネジによって位置を調整されるバイメタルと、バイメタルによって押圧駆動する掛合片と、掛合片のバイメタルとの接点に着脱可能に設けられる調整部材とからなる。
【発明の効果】
【０００７】
本発明の過電流引外し機構によれば、掛合片のバイメタルとの接点に着脱可能な調整部材を設けたため、掛合片とバイメタルとの間の距離を組立時に調整することが可能となる。又、組立時に調整可能となるため、電流を流す作業と、その後で再び常温に戻るのを待つ時間が不要となり、作業効率の向上を図ることが可能である。
【０００８】
又、調整部材を着脱可能に設けることによって、調整部材によってバイメタルの位置を決めた後は、別の回路遮断器に用いることが可能となり、繰り返し使用可能であるため部材にかかるコストを抑えることが可能である。
【０００９】
又、調整部材を取り付けた状態で調整ネジを回し、引き外し機構が実際に動作する位置までバイメタルを調整することにより、機器の寸法や摩擦係数によるばらつきを加味した調整を電流を流さずに行うことが可能である。
【発明を実施するための最良の形態】
【００１０】
本発明では、着脱可能な調整部材を使って組立時にバイメタルの位置を調整するため、電流を流して電路が遮断されるまでの時間を計測し、常温に戻るまで待ってから再び電流を流す作業を繰り返して調整する必要の少ない構造を少ない部品数で可能にした。
【実施例１】
【００１１】
以下、本発明の実施の形態を説明する。
回路遮断器のケース１内部に設けられる過電流調整機構であって、この過電流調整機構はケース１外面に設けられる調整窓２と、調整窓２から視認可能に配置される調整ネジ３と、調整ネジ３が螺合するネジ孔が貫通して設けられた取付ナット４と、取付ナット４を貫通した調整ネジ３によって位置を調整されるバイメタル５、１５と、バイメタル５、１５によって押圧駆動する掛合片６、１６と、掛合片６、１６のバイメタル５、１５との接点に着脱可能に設けられる調整部材７、１７とからなる。調整部材７、１７は略円筒からなり、中央には長手方向に貫通して嵌合部８、１８が設けられ、嵌合部８、１８を掛合片６、１６のバイメタル５、１５との当接位置に嵌合させる。調整ネジ３によってバイメタル５、１５を調整部材７、１７に当接し、更に引き外し機構が動作する位置まで調整する。調整部材７、１７は熱を加えた際にバイメタル５、１５が湾曲する幅と引き外し機構を動作させるまでの時間を考慮した直径で形成しているため、調整部材７、１７を用いてバイメタル５、１５の位置を調整することで、実際に通電試験を行う必要をなくすことが可能である。調整が終われば調整部材７、１７は取り外し、他の回路遮断器にて同様に調整を行うことが可能であるため、調整部材７、１７にかかるコストを押さえることが可能である。又、調整部材７、１７によってバイメタル５、１５の掛合片６、１６との位置を調整するため、試験機によって通電し、回路が遮断されるまでの時間を調整する必要をなくすことが可能である。また、調整部材７、１７は略円筒に嵌合部８、１８を設けた構造であるため、回路遮断器内に複数の極が設けられていても嵌め合わせる方向を確認せずに使用することが可能である。
【００１２】
以上のように、本発明の過電流調整機構は、着脱可能な調整部材を設けて掛合片とバイメタルとの位置を調整するため、調整部材を繰り返し使うことが可能となり、又、通電試験を行う必要をなくすことが可能となるものである。
【図面の簡単な説明】
【００１３】
【図１】本発明の実施例１における、過電流調整機構の側面断面図である。
【図２】本発明の実施例１における、過電流調整機構の要部の分解斜視図である。
【図３】従来技術における、特許文献１に記載の過電流調整機構の断面図である。
【符号の説明】
【００１４】
１、２１    ケース
２    調整窓
３、２３    調整ねじ
４    取付ナット
５、１５、２５    バイメタル
６、１６、２６    掛合片
７、１７    調整部材
８、１８    嵌合部
【図１】
2009301756.tif 000003
【図２】
2009301756.tif 000004
【図３】
2009301756.tif 000005